(57)【要約】【課題】  対象物の内角のコーナー部に真っ直ぐにかつきれいに、しかも簡単に貼り付けることができる粘着テープおよびその貼り付け方法を提供する。【解決手段】  この粘着テープ２０は、粘着テープ本体２２と、その粘着面２３に貼り付けられた剥離紙２６とを備えている。剥離紙２６は、その長手方向Ｌに沿うものであって互いに所定の間隔Ｄをあけて並設された第１の切れ目２８ａおよび第２の切れ目２８ｂを有している。【選択図】  図４
2014088520.tif 000002
【特許請求の範囲】
【請求項１】
対象物の内角のコーナー部に貼り付けるための粘着テープであって、
粘着テープ本体と、当該粘着テープ本体の粘着面に貼り付けられた剥離紙とを備えており、
かつ前記剥離紙は、その長手方向に沿うものであって互いに所定の間隔をあけて並設された第１の切れ目および第２の切れ目を有していることを特徴とする粘着テープ。
【請求項２】
前記粘着テープは、粘着テープ本体の片面に粘着面を有し、かつその表面に貼り付けられた剥離紙を有する片面粘着テープであり、当該片面の剥離紙が前記第１の切れ目および第２の切れ目を有している請求項１記載の粘着テープ。
【請求項３】
前記粘着テープは、粘着テープ本体の両面に粘着面を有し、かつその表面にそれぞれ貼り付けられた剥離紙を有する両面粘着テープであり、当該両面の剥離紙の内の少なくとも一方の剥離紙が前記第１の切れ目および第２の切れ目を有している請求項１記載の粘着テープ。
【請求項４】
前記第１の切れ目と第２の切れ目との間の間隔を２ｍｍ〜５ｍｍの範囲内にしている請求項１、２または３記載の粘着テープ。
【請求項５】
請求項１、２、３または４記載の粘着テープを対象物の内角のコーナー部に貼り付ける方法であって、
前記第１の切れ目と第２の切れ目との間の前記剥離紙を剥がしてその下にある中央部の細長い前記粘着面を露出させ、
その状態で、前記第１および第２の切れ目を有する剥離紙を外側にして前記粘着テープを前記中央部の粘着面の所で曲げて、前記粘着テープを対象物の内角のコーナー部に当て、更に当該中央部の粘着面を押し付けて当該粘着面で前記粘着テープを前記コーナー部に貼って当該粘着テープの位置を固定し、
その状態で、残りの剥離紙の内の一方側の剥離紙をその長手方向の端部から剥がしつつ、その下の前記粘着面で前記粘着テープを前記コーナー部に貼り付け、
次いで、他方側の剥離紙をその長手方向の端部から剥がしつつ、その下の前記粘着面で前記粘着テープを前記コーナー部に貼り付けることを特徴とする粘着テープの貼り付け方法。
【発明の詳細な説明】
【技術分野】
【０００１】
この発明は、例えばゲーム機の箱、その他の箱、構造物等の対象物の内角のコーナー部に、電磁波遮蔽、防塵等の目的で貼り付ける剥離紙付きの粘着テープおよびその貼り付け方法に関する。
【背景技術】
【０００２】
対象物の内角のコーナー部に貼り付ける粘着テープであって、その剥離紙の中央に１条の切れ目を入れた粘着テープが従来から幾つか提案されている（例えば特許文献１、２参照）。
【０００３】
その一例を図１に示す。この粘着テープ１０は、粘着テープ本体１２の粘着面１３に剥離紙１６を貼り、この剥離紙１６の中央に、その長手方向Ｌに沿って１条の切れ目１８を入れた構造をしている。
【０００４】
この粘着テープ１０を、対象物２の内角のコーナー部４に貼り付けた一例を図２に示し、そのコーナー部４および粘着テープ１０の拡大図を図３に示す。
【０００５】
この粘着テープ１０をコーナー部４に貼り付ける方法を、主に図３を参照して説明する。剥離紙１６を外側にして粘着テープ１０を切れ目１８（図１参照）の所で折り曲げて、粘着テープ１０をコーナー部４に押し当てる。その状態で、例えば一方の手（例えば左手）等で粘着テープ１０の一方側半分（例えば左側半分）を押さえて粘着テープ１０の位置を固定しておいて、その状態を保ちながら、他方の手で粘着テープ１０の他方側半分を矢印Ａ1 で示すように内側に折り曲げながらそこの剥離紙１６を長手方向Ｌの一端部から剥がしつつ、その下の粘着面１３ａで粘着テープ１０をコーナー部４（より具体的にはその壁面。以下同様）に貼り付ける。これを長手方向Ｌに沿って他端部まで順次行う。
【０００６】
次いで、粘着テープ１０の前記一方側半分を矢印Ａ2 で示すように内側に折り曲げながらそこの剥離紙１６を長手方向Ｌの一端部から剥がしつつ、その下の粘着面１３ｂで粘着テープ１０をコーナー部４に貼り付ける。これを長手方向Ｌに沿って他端部まで順次行う。以上によって粘着テープ１０の貼り付けは完了する。
【先行技術文献】
【特許文献】
【０００７】
【特許文献１】実開昭５１−７８２６３号公報（図１−図４）
【特許文献２】実開昭５７−１３６５５号公報（図１−図４）
【発明の概要】
【発明が解決しようとする課題】
【０００８】
上記のような従来の粘着テープ１０には、次の課題がある。
【０００９】
（１）粘着テープ１０をコーナー部４に貼り付ける際に、少なくとも最初の片側半分を貼り付けるときは、（ａ）粘着テープ１０をコーナー部４の正しい位置に手などで位置がずれないように固定しておき、（ｂ）その状態を保ちながら剥離紙１６を剥がしつつ、（ｃ）その下の粘着面１３ａ（または１３ｂ）をコーナー部４の壁面に貼り付ける、という三つの作業を同時に行わなければならないので、貼り付け作業が難しい。
【００１０】
（２）粘着テープ１０の長手方向Ｌの一端部から面状にコーナー部４の壁面に粘着させることになるので、最初の粘着位置が少しでもずれたり傾いたりすると、それが長手方向Ｌに沿って引き継がれて徐々に拡大するので、粘着テープ１０をコーナー部４の長手方向に沿って真っ直ぐに貼り付けることが難しい。粘着テープ１０が長くなるほど、より難しくなる。途中で無理に真っ直ぐに直そうとすると、粘着テープ１０に皺（しわ）が寄ってしまう。
【００１１】
（３）コーナー部４に貼り付けた粘着テープ１０に位置ずれ等の不都合があった場合に、その粘着テープ１０の貼り付け位置を修正しようとしても、それが未だ片側半分の貼り付け後だとしても、粘着面１３ａ（または１３ｂ）の幅が広くて粘着面積が大きいので、簡単に剥がすことはできない。従って、一旦粘着テープ１０をコーナー部４に貼り付けると、未だ片側半分の貼り付け後だとしても、その後の位置修正は困難である。
【００１２】
（４）図３は拡大して示しているが、実際は、コーナー部４の隅（角）と剥離紙１６の切れ目１８（図１参照）側の端部との間に隙間は殆どない。なぜなら、粘着テープ１０は線である切れ目１８の所で急角度で折り曲げられており、しかも粘着テープ１０をコーナー部４の隅にきちんと、かつしっかりと押し付けていないと、途中で粘着テープ１０の位置がずれてしまうからである。従って、例えば粘着面１３ａ側を例に取ると、前述したようにしてその片側半分の剥離紙１６を剥がして行く途中で、剥離紙１６がその下の粘着面１３ａと相手側のコーナー部壁面との間に挟まって、剥離紙１６が長手方向Ｌの最後までうまく剥がれずに、途中で破れることがある。仮に、粘着面１３ａ側の剥離紙１６をうまく剥がして貼り付けがうまく行ったとしても、その後はその片側半分は完全に接着しているので、上記と同様の理由で、反対側の粘着面１３ｂ側の剥離紙１６を長手方向Ｌの最後まで破れずにうまく剥がすことは難しい。
【００１３】
（５）上記（１）〜（４）を総合した理由によって、粘着テープ１０をコーナー部４に真っ直ぐにかつきれいに貼り付けることが難しく、そのために当該貼り付け作業にはある程度の熟練した技術を要するので、貼り付け作業を行うことのできる人員が限られてしまう。
【００１４】
そこでこの発明は、対象物の内角のコーナー部に真っ直ぐにかつきれいに、しかも簡単に貼り付けることができる粘着テープおよびその貼り付け方法を提供することを主たる目的としている。
【課題を解決するための手段】
【００１５】
この発明に係る粘着テープは、対象物の内角のコーナー部に貼り付けるための粘着テープであって、粘着テープ本体と、当該粘着テープ本体の粘着面に貼り付けられた剥離紙とを備えており、かつ前記剥離紙は、その長手方向に沿うものであって互いに所定の間隔をあけて並設された第１の切れ目および第２の切れ目を有していることを特徴としている。
【００１６】
この粘着テープによれば、第１の切れ目と第２の切れ目との間の剥離紙を剥がすことによってその下にある中央部の細長い粘着面のみを露出させることができ、当該中央部の粘着面で粘着テープを対象物のコーナー部に貼って当該粘着テープの位置を固定することができる。そしてその状態で、残りの剥離紙を剥がしてその下の粘着面で当該粘着テープをコーナー部に貼り付けることができる。
【００１７】
この発明に係る粘着テープは、片面粘着テープであっても良いし、両面粘着テープであっても良い。
【００１８】
前記第１の切れ目と第２の切れ目との間の間隔は、２ｍｍ〜５ｍｍの範囲内にするのが好ましい。
【００１９】
この発明に係る貼り付け方法は、前記粘着テープを対象物の内角のコーナー部に貼り付ける方法であって、前記第１の切れ目と第２の切れ目との間の前記剥離紙を剥がしてその下にある中央部の細長い前記粘着面を露出させ、その状態で、前記第１および第２の切れ目を有する剥離紙を外側にして前記粘着テープを前記中央部の粘着面の所で曲げて、前記粘着テープを対象物の内角のコーナー部に当て、更に当該中央部の粘着面を押し付けて当該粘着面で前記粘着テープを前記コーナー部に貼って当該粘着テープの位置を固定し、その状態で、残りの剥離紙の内の一方側の剥離紙をその長手方向の端部から剥がしつつ、その下の前記粘着面で前記粘着テープを前記コーナー部に貼り付け、次いで、他方側の剥離紙をその長手方向の端部から剥がしつつ、その下の前記粘着面で前記粘着テープを前記コーナー部に貼り付けることを特徴としている。
【発明の効果】
【００２０】
請求項１〜３に記載の発明によれば、第１の切れ目と第２の切れ目との間の剥離紙を剥がすことによってその下にある中央部の細長い粘着面のみを露出させることができ、当該中央部の粘着面で粘着テープを対象物のコーナー部に貼って当該粘着テープの位置を固定することができる。そしてその状態で、残りの剥離紙を剥がしてその下の粘着面で当該粘着テープをコーナー部に貼り付けることができるので、当該粘着テープを、対象物の内角のコーナー部に真っ直ぐにかつきれいに、しかも簡単に貼り付けることができる。この効果を詳述すると次のとおりである。
【００２１】
（１）粘着テープを対象物のコーナー部に貼り付ける際に、第１および第２の切れ目間の剥離紙を剥がすことによって露出させた中央部の細長い粘着面で粘着テープをコーナー部に貼って当該粘着テープの位置を固定することができるので、その後は人手などによって粘着テープを固定しておく必要がなくなる。従って、（ａ）残りの剥離紙を端部から剥がしつつ、（ｂ）その下の粘着面をコーナー部の壁面に貼り付ける、という二つの作業を同時に行えば良いので、従来技術の三つの作業を同時に行う場合に比べて、貼り付け作業が容易になる。
【００２２】
（２）中央部の細長い粘着面を露出させただけでは、当該粘着面の幅が細くて未だ粘着テープが対象物のコーナー部に粘着しないので、粘着テープをコーナー部の所望位置まで滑らせて移動させることができ、従って粘着テープをコーナー部の所望位置に容易に位置決めすることができる。
【００２３】
（３）中央部の細長い粘着面を押し付けることによって初めに当該中央部の細長い粘着面のみで粘着テープをコーナー部に貼って位置決めすることができるので、粘着テープをコーナー部の長手方向に沿って歪むことなく真っ直ぐに貼り付けることが容易である。
【００２４】
（４）中央部の細長い粘着面のみで粘着テープをコーナー部に貼って位置決めする際は、その外側の粘着面を貼り付けた場合に比べて未だ粘着面積が小さいので、この段階で粘着テープの位置修正を行う場合でもそれが容易である。
【００２５】
（５）中央部の粘着面の両側に残っている剥離紙を剥がす際、中央部の粘着面には幾らかの幅（これは、第１の切れ目と第２の切れ目との間の間隔に相当する）があってその部分でアール（丸み）をつけて粘着テープを内側に曲げることができるので、剥離紙がその下の粘着面と相手のコーナー部壁面との間に挟まって破れるのを防ぐことができる。
【００２６】
（６）上記（１）〜（５）を総合した理由によって、粘着テープを対象物の内角のコーナー部に真っ直ぐにかつきれいに、しかも簡単に貼り付けることができるので、熟練した技術を有する人でなくても貼り付け作業を行うことができる。
【００２７】
請求項４に記載の発明によれば次の更なる効果を奏する。即ち、第１の切れ目と第２の切れ目との間の間隔を２ｍｍ〜５ｍｍの範囲内にしているので、請求項１〜３について上述した発明の効果をより確実に奏することができる。
【００２８】
これは、上記間隔が２ｍｍよりも小さいと、第１の切れ目と第２の切れ目との間の剥離紙を剥がした後の中央部の粘着面の露出が足りなくて、当該中央部の粘着面で粘着テープを対象物のコーナー部に貼って当該粘着テープの位置を固定することが難しくなるからである。従って、残りの作業中に粘着テープの位置がずれたり外れたりする可能性が高くなる。
【００２９】
５ｍｍよりも大きいと、上記中央部の粘着面の露出が多過ぎて、幅方向のずれの余地が大きくなり、当該中央部の粘着面で粘着テープをコーナー部の所望位置に正しく位置決めし、歪むことなく真っ直ぐに貼り付けることが難しくなる。粘着面積が大きくなるので、中央部の粘着面を貼る段階で粘着テープの位置修正を行うことも難しくなる。
【００３０】
請求項５に記載の発明によれば、請求項１〜４に記載の粘着テープを用いるので、請求項１〜４について上述した効果と同様の効果を奏することができる。
【図面の簡単な説明】
【００３１】
【図１】従来の粘着テープの一例を示す斜視図である。
【図２】図１に示す粘着テープを対象物の内角のコーナー部に貼り付けた状態の一例を示す概略斜視図である。
【図３】図２中のコーナー部および粘着テープを拡大して示す平面図である。
【図４】この発明に係る粘着テープの一実施形態を示す斜視図である。
【図５】図４に示す粘着テープを対象物の内角のコーナー部に貼り付けた状態の一例を示す概略斜視図である。
【図６】図５中のコーナー部および粘着テープを拡大して示す平面図である。
【図７】この発明に係る貼り付け方法の一実施形態を示すフローチャートである。
【図８】この発明に係る粘着テープの他の実施形態を示す斜視図である。
【発明を実施するための形態】
【００３２】
図４に、この発明に係る粘着テープの一実施形態を示す。この粘着テープ２０は、例えば図５に示す例のような対象物２の内角のコーナー部４に貼り付けるための粘着テープであって、粘着テープ本体２２と、当該粘着テープ本体２２の粘着面２３に貼り付けられた剥離紙２６とを備えている。
【００３３】
より具体的には、この例の粘着テープ２０は、粘着テープ本体２２の片面に粘着面２３を有し、かつその表面に貼り付けられた剥離紙２６を有する片面粘着テープである。
【００３４】
粘着テープ２０の幅は、一例を示せば３０ｍｍであるが、これに限られるものではない。粘着テープ２０の長さは任意である。いずれの寸法も、用途等に応じて適宜選定すれば良い。
【００３５】
剥離紙２６は、その長手方向Ｌに沿うものであって互いに所定の間隔Ｄをあけて並設された第１の切れ目２８ａおよび第２の切れ目２８ｂを有している。両切れ目２８ａ、２８ｂは、この例では、剥離紙２６の中央部または中央部付近に設けられているが、それに限られるものではない。
【００３６】
粘着テープ本体２２は、この例では、基材２４と、その表面に付与された粘着剤（具体的には粘着剤膜または粘着剤層）２５とを有している。この粘着剤２５の表面が前記粘着面２３である。
【００３７】
基材２４は、例えば、紙、布、プラスチックフィルム、アルミニウムのような金属箔、フィルムの表面にアルミニウムのような金属膜を被着したもの、またはこれらを組み合わせたもの等から成るが、これらに限られるものではなく、用途等に応じて材質を適宜選定すれば良い。
【００３８】
粘着剤２５は、例えば、アクリル系、ゴム系、シリコーン系等の粘着剤であるが、これらに限られるものではなく、用途等に応じて材質を適宜選定すれば良い。この粘着剤２５は、広い意味では、接着させるものであるので接着剤と呼ぶこともできる。
【００３９】
剥離紙２６は、例えば、基材となる紙の前記粘着面２３側の表面に、シリコーン樹脂等の剥離層を設けたものであるが、それに限定されるものではない。
【００４０】
第１の切れ目２８ａと第２の切れ目２８ｂとの間の上記間隔Ｄは、２ｍｍ〜５ｍｍの範囲内にするのが好ましい。その理由は後述する。より具体的にこの例では間隔Ｄを３ｍｍにしている。
【００４１】
この粘着テープ２０を、対象物２の内角のコーナー部４に貼り付けた一例を図５に示し、そのコーナー部４および粘着テープ２０の拡大図を図６に示す。なお、図６では、図示を簡略化するために、粘着テープ本体２２は、基材２４と粘着剤２５とに分けて図示せずに、一体で図示している。
【００４２】
対象物２は、例えば、ゲーム機の箱、その他の箱、構造物等である。
【００４３】
この粘着テープ２０をコーナー部４に貼り付ける貼り付け方法の例を、主に図６および図７のフローチャートを参照して説明する。
【００４４】
まず、第１の切れ目２８ａと第２の切れ目２８ｂとの間の剥離紙２６を剥がしてその下にある中央部の細長い粘着面２３ｃを露出させる（図７中のステップ５０）。以下においては、図４に示した粘着面２３を、三つの領域の粘着面２３ａ〜２３ｃに区別して説明する。
【００４５】
なお、両切れ目２８ａ、２８ｂ間の剥離紙２６を剥がすことによって露出する粘着面２３ｃの簡潔な呼び方としては、両側の粘着面２３ａ、２３ｂ間の中間部にあるので中間部の粘着面２３ｃと呼ぶこともできるが、この明細書では中央部の粘着面２３ｃと呼ぶことにしている。
【００４６】
そして上記の状態で、第１および第２の切れ目２８ａ、２８ｂを有する剥離紙２６を外側にして粘着テープ２０を中央部の粘着面２３ｃの所で曲げて、当該粘着テープ２０を対象物２の内角のコーナー部４に当て、更に中央部の粘着面２３ｃを押し付けて当該粘着面２３ｃで粘着テープ２０をコーナー部４に貼って当該粘着テープ２０の位置を固定する（ステップ５１）。
【００４７】
このとき、詳しく見ると、通常は図６に示す例のように、残りの剥離紙２６の内の一方側の剥離紙の端部がコーナー部４の壁面にほぼ当接した状態で粘着テープ２０が位置決めされ、その状態で粘着面２３ｃによってコーナー部４の壁面に貼り付けられて粘着テープ２０が位置固定される。この状態では、詳しく見ると、コーナー部４の角の中心と粘着テープ２０の幅方向の中心とが、上記間隔Ｄの半分に相当する寸法程度ずれているが、これは僅かな寸法であるので、しかもそのずれ方は長手方向Ｌにおいて一様であるので、特に支障はない。
【００４８】
上述した中央部の粘着面２３ｃを押し付ける作業は、例えば、指先で行っても良いし、へら等の道具を用いて行っても良い。
【００４９】
上記作業によって粘着テープ２０はコーナー部４に固定されるので、それ以降は、粘着テープ２０を手などで押さえておく必要はなく、両手が自由に使えるようになるので、作業が非常に容易になる。
【００５０】
次いで、上記の状態で、残りの剥離紙２６の内の一方側の剥離紙２６をその長手方向Ｌの端部から剥がしつつ、その下の粘着面２３ａで粘着テープ２０をコーナー部４に貼り付ける（ステップ５２）。より具体例を説明すると、一方の手で粘着テープ２０の一方側半分を矢印Ｂ1 で示すように内側に曲げながらそこの剥離紙２６を長手方向Ｌの一端部から剥がしつつ、その下の粘着面２３ａで粘着テープ２０をコーナー部４（より具体的にはその壁面。以下同様）に貼り付ける。これを長手方向Ｌに沿って他端部まで順次行う。このとき、上述したように両手が使えるので、作業は容易である。
【００５１】
次いで、上記と同様に、他方側の剥離紙２６をその長手方向Ｌの端部から剥がしつつ、その下の粘着面２３ｂで粘着テープ２０をコーナー部４に貼り付ける（ステップ５３）。より具体例を説明すると、一方の手で粘着テープ２０の他方側半分を矢印Ｂ2 で示すように内側に曲げながらそこの剥離紙２６を長手方向Ｌの一端部から剥がしつつ、その下の粘着面２３ｂで粘着テープ２０をコーナー部４に貼り付ける。これを長手方向Ｌに沿って他端部まで順次行う。このときも、上述したように両手が使えるので、作業は容易である。
【００５２】
以上によって、粘着テープ２０のコーナー部４への貼り付けは完了する。
【００５３】
以上のように、上記粘着テープ２０によれば、第１の切れ目２８ａと第２の切れ目２８ｂとの間の剥離紙２６を剥がすことによってその下にある中央部の細長い粘着面２３ｃのみを露出させることができ、当該中央部の粘着面２３ｃで粘着テープ２０を対象物２のコーナー部４に貼って当該粘着テープ２０の位置を固定することができる。そしてその状態で、残りの剥離紙２６を剥がしてその下の粘着面２３ａ、２３ｂで当該粘着テープ２０をコーナー部４に貼り付けることができるので、当該粘着テープ２０を、対象物２の内角のコーナー部４に真っ直ぐにかつきれいに、しかも簡単に貼り付けることができる。この効果を詳述すると次のとおりである。
【００５４】
（１）粘着テープ２０を対象物２のコーナー部４に貼り付ける際に、第１および第２の切れ目２８ａ、２８ｂ間の剥離紙２６を剥がすことによって露出させた中央部の細長い粘着面２３ｃで粘着テープ２０をコーナー部４に貼って当該粘着テープ２０の位置を固定することができるので、その後は人手などによって粘着テープ２０を固定しておく必要がなくなる。従って、（ａ）残りの剥離紙２６を端部から剥がしつつ、（ｂ）その下の粘着面２３ａ（または２３ｂ）をコーナー部４の壁面に貼り付ける、という二つの作業を同時に行えば良いので、従来技術の三つの作業を同時に行う場合に比べて、貼り付け作業が容易になる。
【００５５】
（２）中央部の細長い粘着面２３ｃを露出させただけでは、当該粘着面２３ｃの幅が細くて未だ粘着テープ２０が対象物２のコーナー部４に粘着しないので、粘着テープ２０をコーナー部４の所望位置まで滑らせて移動させることができ、従って粘着テープ２０をコーナー部の所望位置に容易に位置決めすることができる。
【００５６】
（３）中央部の細長い粘着面２３ｃを押し付けることによって初めに当該中央部の細長い粘着面２３ｃのみで粘着テープ２０をコーナー部４に貼って位置決めすることができるので、従来技術のように粘着テープの一端部から広い面積で面状に次々と粘着させて行く場合と違って、粘着テープ２０をコーナー部４の長手方向に沿って歪むことなく真っ直ぐに貼り付けることが容易である。
【００５７】
（４）中央部の細長い粘着面２３ｃのみで粘着テープ２０をコーナー部４に貼って位置決めする際は、その外側の粘着面２３ａまたは２３ｂを貼り付けた場合に比べて未だ粘着面積が小さいので、この段階で粘着テープ２０の位置修正を行う場合でもそれが容易である。
【００５８】
（５）中央部の粘着面２３ｃの両側に残っている剥離紙２６を剥がす際、中央部の粘着面２３ｃには幾らかの幅（これは、第１の切れ目と第２の切れ目との間の間隔Ｄに相当する）があってその部分でアール（丸み）をつけて粘着テープ２０を内側に曲げることができるので、剥離紙２６がその下の粘着面２３ａまたは２３ｂと相手のコーナー部壁面との間に挟まって破れるのを防ぐことができる。
【００５９】
（６）上記（１）〜（５）を総合した理由によって、粘着テープ２０を対象物２の内角のコーナー部４に真っ直ぐにかつきれいに、しかも簡単に貼り付けることができるので、熟練した技術を有する人でなくても貼り付け作業を行うことができる。
【００６０】
上記貼り付け方法も、上記粘着テープ２０を用いるので、その上述した効果と同様の効果を奏することができる。
【００６１】
第１の切れ目２８ａと第２の切れ目２８ｂとの間の間隔Ｄは、前述したように、２ｍｍ〜５ｍｍの範囲内にするのが好ましい。その内でも、３ｍｍ程度にするのがより好ましい。このようにすることによって、上記（１）〜（６）に示した効果をより確実に奏することができる。
【００６２】
これは、上記間隔Ｄが２ｍｍよりも小さいと、第１の切れ目２８ａと第２の切れ目２８ｂとの間の剥離紙２６を剥がした後の中央部の粘着面２３ｃの露出が足りなくて、当該中央部の粘着面２３ｃで粘着テープ２０を対象物２のコーナー部４に貼って当該粘着テープ２０の位置を固定することが難しくなるからである。従って、残りの作業中に粘着テープ２０の位置がずれたり外れたりする可能性が高くなる。
【００６３】
５ｍｍよりも大きいと、上記中央部の粘着面２３ｃの露出が多過ぎて、幅方向のずれの余地が大きくなり、当該中央部の粘着面２３ｃで粘着テープ２０をコーナー部４の所望位置に正しく位置決めし、歪むことなく真っ直ぐに貼り付けることが難しくなる。粘着面積が大きくなるので、中央部の粘着面２３ｃを貼る段階で粘着テープ２０の位置修正を行うことも難しくなる。
【００６４】
なお、上記範囲内で間隔Ｄの寸法を具体的に幾らにするかは、粘着面２３の粘着力を考慮して決めても良い。例えば、粘着面２３の粘着力が大きければ、間隔Ｄは小さくても良い。それでも、粘着力が大きいので中央部の粘着面２３ｃで粘着テープ２０の位置を固定することができる。しかも、幅方向のずれの余地がより小さくなるので、粘着テープ２０をコーナー部４の所望位置に正しく位置決めすることがより容易になる。粘着面２３の粘着力が小さければ、間隔Ｄを大きくしてより大きな面積で粘着力を確保するようにしても良い。
【００６５】
粘着テープ２０は、例えば図８に示す例のように、粘着テープ本体２２の両面に粘着面２３を有し、かつその表面にそれぞれ貼り付けられた剥離紙２６、２７を有する両面粘着テープであっても良い。その場合、両面の剥離紙２６、２７の内の少なくとも一方の剥離紙が上記第１の切れ目２８ａおよび第２の切れ目２８ｂを有していれば良い。この図８の例では剥離紙２６が当該切れ目２８ａ、２８ｂを有している。
【００６６】
他方の剥離紙２７は、この例のように１条の切れ目２９を有していても良いし、上記切れ目２８ａ、２８ｂと同様の第１および第２の切れ目を有していても良いし、切れ目を有していなくても良い。切れ目を有していると、剥離紙２７を剥がすことが容易になる。上記切れ目２８ａ、２８ｂと同様の第１および第２の切れ目を有していると、表裏なく使用することができる。
【産業上の利用可能性】
【００６７】
この発明に係る粘着テープは、例えば、電磁波遮蔽、防塵、密閉、補強、美観向上等のために、ゲーム機の箱、その他の箱、構造物等の対象物の内角のコーナー部に貼り付けることに使用することができる。
【００６８】
その一例をより具体的に説明すると、ゲーム機の箱内には精密な電子機器が収納されており、しかも通常は多数のゲーム機が近接して設けられているので、各ゲーム機を構成する箱の内面にアルミニウム箔を貼る等して、外部への電磁波の漏洩抑制および外部からの電磁波の侵入抑制を図っている場合が多い。その場合、箱の内角のコーナー部に隙間なくアルミニウム箔を貼ることはあまり簡単ではないので、導電性を持つ基材を有する粘着テープをコーナー部に貼り付けて、それにコーナー部における電磁波遮蔽の機能を持たせる場合がある。この発明に係る粘着テープは、そのような用途にも使用することができる。
【符号の説明】
【００６９】
２  対象物
４  コーナー部
２０  粘着テープ
２２  粘着テープ本体
２３、２３ａ〜２３ｃ  粘着面
２４  基材
２５  粘着剤
２６、２７  剥離紙
２８ａ  第１の切れ目
２８ｂ  第２の切れ目
【図１】
2014088520.tif 000003
【図２】
2014088520.tif 000004
【図３】
2014088520.tif 000005
【図４】
2014088520.tif 000006
【図５】
2014088520.tif 000007
【図６】
2014088520.tif 000008
【図７】
2014088520.tif 000009
【図８】
2014088520.tif 000010